(57)【要約】      （修正有）【課題】内外いずれの側にもカーテンの表側が表れるように２枚のカーテンを吊ることができる単一構成のカーテン吊り具を提供する。【解決手段】２枚のカーテン４１を重ね合わせてランナの吊り環Ｒに吊り止める弾性合成樹脂製の吊り具は、基幹部１２、一対の下部挿入脚１３、一対の上部挿入脚１４、フック１５から構成される。基幹部１２は、２枚のカーテン４１の間を上下方向に延びる。一対の下部挿入脚１３は、基幹部１２における各カーテン４１に対面する対向両側面の下部から側方へ延出し、各カーテン４１の下部挿入部４５に下方から挿入できるように湾曲して上方へ延びる。一対の上部挿入脚１４は、基幹部１２の対向両側面の上部から側方へ延出し、各カーテン４１の上縁部に上方から掛け止めできるように湾曲して下方へ延びる。フック１５は、基幹部１２の上端部から上方へ延出し、ランナの吊り環Ｒに係止可能に湾曲する。【選択図】図４
2016101334.tif 000002
【特許請求の範囲】
【請求項１】
第１及び第２の２枚のカーテンを重ね合わせてランナの吊り環に吊り止めるための弾性合成樹脂製の吊り具であって、
カーテンへの装着状態において前記両カーテンの間を上下方向に延びる基幹部と、
前記基幹部における前記各カーテンに対面する対向両側面の下部から側方へ延出し、各カーテンの下部挿入部に下方から挿入できるように湾曲して上方へ延びる一対の下部挿入脚と、
前記基幹部の上端部から上方へ延出し、ランナの吊り環に係止可能に湾曲したフックと、を具備することを特徴とするカーテン吊り具。
【請求項２】
第１及び第２の２枚のカーテンを重ね合わせてランナの吊り環に吊り止めるための弾性合成樹脂製の吊り具であって、
カーテンへの装着状態において前記両カーテンの間を上下方向に延びる基幹部と、
前記基幹部における前記各カーテンに対面する対向両側面の下部から側方へ延出し、各カーテンの下部挿入部に下方から挿入できるように湾曲して上方へ延びる一対の下部挿入脚と、
前記基幹部の前記対向両側面の上部から側方へ延出し、前記各カーテンの上縁部に上方から掛け止めできるように湾曲して下方へ延びる一対の上部挿入脚と、
前記基幹部の上端部から上方へ延出し、ランナの吊り環に係止可能に湾曲したフックと、を具備することを特徴とするカーテン吊り具。
【請求項３】
請求項１又は２に記載のカーテン吊り具を用いて、ランナの吊り環へ吊り止められる第１及び第２の２枚のカーテンを具備する二重カーテンであって、
前記第１及び第２のカーテンは、それぞれ上縁部に形成されたヒダを縦方向に縫合してなるヒダ縫い部を具備し、当該ヒダの縫合部の下端に前記吊り具の下部挿入脚を挿入する下部挿入部が形成され、互いにヒダ縫い部を外側に向けて接合されることを特徴とする二重カーテン。
【請求項４】
前記第１及び第２のカーテンにおける前記ヒダの縫合部は、その上端がヒダの上縁より下方位置で終結しており、
請求項２に記載の吊り具の前記上部挿入脚は、前記縫合部の上端に掛けてヒダ内へ挿入されることを特徴とする請求項３に記載の二重カーテン。
【請求項５】
第１及び第２の２枚のカーテンを重ね合わせてランナの吊り環に吊り止めるための弾性合成樹脂製の吊り具であって、
カーテンへの装着状態において前記両カーテンの間を上下方向に延びる基幹部と、
前記基幹部における前記各カーテンに対面する対向両側面の下部から側方へ延出し、各カーテンの下部挿入部に下方から挿入できるように湾曲して上方へ延びる一対の下部挿入脚と、
前記基幹部の前記対向両側面の上部から側方へ延出し、前記各カーテンの上部挿入部に下方から挿入できるように湾曲して上方へ延びる一対の上部挿入脚と、
前記基幹部の上端部から上方へ延出し、ランナの吊り環に係止可能に湾曲したフックと、を具備することを特徴とするカーテン吊り具。
【請求項６】
請求項５に記載のカーテン吊り具を用いて、ランナの吊り環へ吊り止められる第１及び第２の２枚のカーテンを具備する二重カーテンであって、
前記第１及び第２のカーテンは、それぞれ上縁部に形成されたヒダを縦方向に縫合してなるヒダ縫い部を具備し、当該ヒダの縫合部は、その延長途上に縫い飛ばし部を有し、当該縫合部の下端に前記吊り具の下部挿入脚を挿入する下部挿入部が形成され、当該縫合部の縫い飛ばし部に前記吊り具の上部挿入脚を挿入する上部挿入部が形成され、互いにヒダ縫い部を外側に向けて接合されることを特徴とする二重カーテン。
【発明の詳細な説明】
【技術分野】
【０００１】
本発明は、２枚のカーテンを接合してランナの吊り環に吊り止めることができるカーテン吊り具と、このカーテン吊り具を用いた二重カーテンに関する。
【背景技術】
【０００２】
従来、二重カーテンをランナに吊り止めるためのカーテン吊り具として、例えば特許文献１に記載されたものが知られている。このカーテン吊り具は、本体と、この本体にラチェット係合するフック体とで構成される。本体は、互いに下端において連続し、上方へ並行して伸びる主杆と挿入杆とを有する。フック体は、主杆を上下に摺動自在に抱持する抱持部と、ランナの吊り環に掛け止めるためのフック部とを有する。挿入杆の下端部には、裏地用フックを掛けるための係止環を具備する。
【先行技術文献】
【特許文献】
【０００３】
【特許文献１】特開２０００−７０１１５号公報
【発明の概要】
【発明が解決しようとする課題】
【０００４】
上記従来のカーテン吊り具は、カーテンの本体の外側に、遮光等を目的とした裏地カーテンを接合させて吊ることを目的としたもので、カーテン本体をカーテンランナに吊るための吊り具と、裏地カーテンを本体の吊り具に吊るためのフックの２部材を必要とするものである。
本発明は、内外いずれの側にもカーテンの表側が表れるように２枚のカーテンを吊ることができるカーテン吊り具であって、弾性合成樹脂で一体に構成されるものを提供することを目的としている。また、このカーテン吊り具を用いてカーテンランナに吊られる二重カーテンを提供することを目的としている。
【課題を解決するための手段】
【０００５】
以下、添付図面の符号を参照して説明するが、本発明はこれに限定されるものではない。
上記課題を解決するための、本発明の第１のカーテン吊り具１は、第１及び第２の２枚のカーテン３１を重ね合わせてランナの吊り環Ｒに吊り止めるための弾性合成樹脂製の吊り具であって、基幹部２と、一対の下部挿入脚３と、フック５とを具備する。基幹部２は、カーテン３１への装着状態において両カーテン３１の間を上下方向に延びる。一対の下部挿入脚３は、基幹部２における各カーテン３１に対面する対向両側面の下部から側方へ延出し、各カーテン３１の下部挿入部２５に下方から挿入できるように湾曲して上方へ延び、カーテン３１の上縁付近に達する。フック５は、基幹部２の上端部から上方へ延出し、ランナの吊り環Ｒに係止可能に湾曲する。
本発明の第２のカーテン吊り具１は、第１及び第２の２枚のカーテン４１を重ね合わせてランナの吊り環Ｒに吊り止めるための弾性合成樹脂製の吊り具であって、基幹部１２と、一対の下部挿入脚１３と、一対の上部挿入脚１４と、フック１５とを具備する。基幹部１２は、カーテン４１への装着状態において両カーテン４１の間を上下方向に延びる。一対の下部挿入脚１３は、基幹部１２における各カーテン４１に対面する対向両側面の下部から側方へ延出し、各カーテン４１の下部挿入部４５に下方から挿入できるように湾曲して上方へ延びる。一対の上部挿入脚１４は、基幹部１２の対向両側面の上部から側方へ延出し、各カーテン４１の上縁部に上方から掛け止めできるように湾曲して下方へ延びる。フック１５は、基幹部１２の上端部から上方へ延出し、ランナの吊り環Ｒに係止可能に湾曲する。
上記課題を解決するための、本発明の第３のカーテン吊り具２１は、第１及び第２の２枚のカーテン５１を重ね合わせてランナの吊り環Ｒに吊り止めるための弾性合成樹脂製の吊り具であって、基幹部２２と、一対の下部挿入脚２３と、一対の上部挿入脚２４と、フック２５とを具備する構成において第２のカーテン吊り具と同様であるが、一対の上部挿入脚２４が、各カーテン５１の上部挿入部５６に下方から挿入できるように湾曲して上方へ延びる構成である点において相違する。
本発明の二重カーテンは、上記第１又は第２のカーテン吊り具１，１１，２１を用いてカーテンランナに吊られるカーテンである。
【発明の効果】
【０００６】
本発明のカーテン吊り具は、単一のもので、内外いずれの側にもカーテンの表側が表れるように２枚のカーテンを吊ることができる。本発明のカーテン吊り具を用いることにより、内外いずれの側にもカーテンの表側が表れる二重カーテンを得ることができる。
【図面の簡単な説明】
【０００７】
【図１】本発明に係る第１のカーテン吊り具の正面図である。
【図２】図１のカーテン吊り具の使用状態の正面図である。
【図３】本発明に係る第２のカーテン吊り具の正面図である。
【図４】図３のカーテン吊り具の使用状態の正面図である。
【図５】本発明に係る第３のカーテン吊り具の正面図である。
【図６】図５のカーテン吊り具の使用状態の正面図である。
【発明を実施するための形態】
【０００８】
図面を参照して本発明の実施の形態を説明する。
本発明のカーテン吊り具は、第１及び第２の２枚のカーテン３１を重ね合わせてランナの吊り環Ｒに吊り止めるための弾性合成樹脂製の吊り具である。
【０００９】
図１，２に示す第１のカーテン吊り具１は、基幹部２と、一対の下部挿入脚３と、フック５とを具備する。
【００１０】
基幹部２は、カーテンへの装着状態において、両カーテン３１の間を直線状に上下方向に延びる。
【００１１】
一対の下部挿入脚３は、基幹部２における各カーテン３１に対面する対向両側面の下部から側方へ延出し、各カーテン３１の下部挿入部２２に下方から挿入できるように湾曲し、先端がカーテン３１の上縁付近に至るまで上方へ延びる。
【００１２】
フック５は、基幹部２の上端部から上方へ延出し、ランナの吊り環Ｒに係止可能に鈎状に湾曲する。
【００１３】
各カーテン３１は、上縁部に形成されたヒダ３２を縦方向に縫合３３してなるヒダ縫い部３４を具備し、当該ヒダの縫合部３３の下端に、吊り具１の下部挿入脚３を挿入する下部挿入部２５が形成される。
【００１４】
一般に、ヒダ縫い部３４が表れる側がカーテンの表面となる。両カーテン３１は、互いにヒダ縫い部３４を外側に向けて接合され、吊り具１でランナの吊り環Ｒに吊られて二重カーテンを形成する。両カーテン３１に挿入された挿入脚３が、上縁部まで延びて基幹部２との間でカーテン３１の上縁部を挟持しているので、上縁部が倒れて両上縁間が開くことがない。このように吊られた二重カーテンは、両面が表面となるから、例えば衣服売り場の試着室を遮るカーテンのように、顧客に対して室内外のいずれの側からの体裁も良好することが求められるような場所での使用、あるいは間仕切り用カーテンに好適である。また、一方のカーテンを短くして飾りカーテンとするような二重カーテンにも対応できる。
【００１５】
図３，４に示す第２のカーテン吊り具１１は、基幹部１２と、一対の下部挿入脚１３と、一対の上部挿入脚１４と、フック１５とを具備する。
【００１６】
基幹部１２は、カーテン４１への装着状態において、両カーテン４１の間を直線状に上下方向に延びる。
【００１７】
一対の下部挿入脚１３は、基幹部１２における各カーテン４１に対面する対向両側面の下部から側方へ延出し、各カーテン４１の下部挿入部４２に下方から挿入できるように湾曲して上方へ延びる。下部挿入脚１３は、基幹部１２との間にカーテン４１を挟持するように、基幹部１２の上下方向中間位置付近まで延びる。
【００１８】
一対の上部挿入脚１４は、基幹部１２の対向両側面の上部から側方へ延出し、各カーテン４１の上縁部に上方から掛け止めることができ、また基幹部１２との間にカーテン４１上縁部を挟持できるように湾曲して下方へ延びる。
【００１９】
フック５は、基幹部１２の上端部から上方へ延出し、ランナの吊り環Ｒに係止可能に鈎状に湾曲する。
【００２０】
各カーテン４１は、上縁部に形成されたヒダ４２を縦方向に縫合４３してなるヒダ縫い部４４を具備し、当該ヒダの縫合部４３の下端に、吊り具１１の下部挿入脚１３を挿入する下部挿入部４５が形成され、上端に上部挿入脚１４を挿入する上部挿入部４６が形成される。縫合部４３は、その上端がヒダ４２の上縁よりやや下方位置で終結しており、ヒダ縫い部４４の上端部に先割れ部４７が形成される。吊り具１１の上部挿入脚１４は、先割れ部４７を通して縫合部４３の上端に掛け、ヒダ縫い部４４内へ挿入される。
【００２１】
一般に、ヒダ縫い部４４が表れる側がカーテンの表面となる。両カーテン４１は、互いにヒダ縫い部４４を外側に向けて接合され、吊り具１１でランナの吊り環Ｒに吊られて二重カーテンを形成する。上下の挿入脚１３，１４が両カーテン４１に挿入されるので、上縁部が倒れて両上縁間が開くことがない。
【００２２】
図５，６に示す第３のカーテン吊り具２１は、基幹部２２と、一対の下部挿入脚２３と、一対の上部挿入脚２４と、フック２５とを具備する。基幹部２２、下部挿入脚２３、フック２５の構成は、第１のカーテン吊り具１と同様である。
【００２３】
一対の上部挿入脚２４は、各カーテン４１の上部挿入部４６に下方から挿入できるように湾曲して上方へ延びる構成である。
【００２４】
カーテン５１は、上縁部に形成されたヒダ５２を縦方向に縫合５３してなるヒダ縫い部５４を具備する。ヒダの縫合部５３は、その延長途上に縫い飛ばし部５７を有する。縫合部５３の下端に、吊り具２１の下部挿入脚２３を挿入する下部挿入部５５が形成され、縫い飛ばし部５７に上部挿入脚２４を挿入する上部挿入部５６が形成される。カーテン５１は、互いにヒダ縫い部５４を外側に向けて接合され、吊り具２１でランナの吊り環Ｒに吊られて二重カーテンを形成する。
【符号の説明】
【００２５】
１      第１の吊り具
２      基幹部
３      下部挿入脚
５      フック
１１    第２の吊り具
１２    基幹部
１３    下部挿入脚
１４    上部挿入脚
１５    フック
２１    第３の吊り具
２２    基幹部
２３    下部挿入脚
２４    上部挿入脚
２５    フック
３１    カーテン
３２    ヒダ
３３    縫合部
３４    ヒダ縫い部
３５    下部挿入部
４１    カーテン
４２    ヒダ
４３    縫合部
４４    ヒダ縫い部
４５    下部挿入部
４６    上部挿入部
４７    先割れ部
５１    カーテン
５２    ヒダ
５３    縫合部
５４    ヒダ縫い部
５５    下部挿入部
５６    上部挿入部
５７    縫い飛ばし部
Ｒ      ランナの吊り環
【図１】
2016101334.tif 000003
【図２】
2016101334.tif 000004
【図３】
2016101334.tif 000005
【図４】
2016101334.tif 000006
【図５】
2016101334.tif 000007
【図６】
2016101334.tif 000008